(57)【特許請求の範囲】
【請求項１】
内底面に固定接点が植設された略箱形のケースと、このケース内に一端の支点部を支点として揺動可能に収納されると共に、他端に形成された操作部が上記ケースより上方へ突出したレバーと、このレバーの操作部下面にアーム部の一端の保持部が固着され、アーム部他端の接触部が上記ケース内底面または上記固定接点に弾接した可動接点からなり、上記ケースの内底面に当接する部分と、上記レバー下面に弾接する押圧部とを有する略Ｌ字状のばね部材を設けると共に、上記ケースの内底面に当接する部分は上記レバーの操作部側に設け、上記押圧部は上記レバーの支点部側に設けたスイッチ。
【請求項２】
ケース内底面に上方へ突出する段差部をレバーの支点部側に設け、この段差部に植設された固定接点に可動接点の接触部を弾接させた請求項１記載のスイッチ。
【発明の詳細な説明】
【技術分野】
【０００１】
本発明は、各種電子機器において、主に記録媒体の有無やメカニズムの動作検出等に用いられるスイッチに関するものである。
【背景技術】
【０００２】
近年、ビデオやパソコン等の各種電子機器の小型化や高機能化が進むなか、これらのテープやディスク等の記録媒体の有無、或いはツマミや扉等のメカニズムの動作検出等に用いられる検出用スイッチにおいても、小型薄型で動作の確実なものが求められている。
【０００３】
このような従来のスイッチについて、図４及び図５を用いて説明する。
【０００４】
図４は従来のスイッチの断面図であり、同図において、１は絶縁樹脂製で上面開放の略箱形のケース、２は導電金属薄板製の固定接点で、複数の固定接点２がケース１の内底面に植設固定されると共に、その端子部（図示せず）が各々外方へ延出している。
【０００５】
そして、３は絶縁樹脂製のレバーで、左端の支点部３Ａを支点としてケース１内に揺動可能に収納されると共に、右端にはケース１上面から上方へ突出する操作部３Ｂが形成されている。
【０００６】
また、４は弾性金属薄板製の可動接点で、アーム部４Ａ右端の保持部４Ｂが、操作部３Ｂ下面にインサート成形されてレバー３に固着されると共に、やや撓んだ状態のアーム部４Ａ左端に形成された略円弧状の接触部４Ｃが、ケース１の内底面に弾接している。
【０００７】
さらに、５は金属薄板製のカバーで、このカバー５がケース１上面の開口部を覆うと共に、カバー５の貫通孔５Ａからレバー３の操作部３Ｂが上方へ突出して、スイッチが構成されている。
【０００８】
そして、このように構成されたスイッチは、上下面に複数の配線パターンが形成された配線基板（図示せず）上に載置され、ケース１から延出した固定接点２の端子部が、所定の配線パターンに半田付けされて、機器の電子回路（図示せず）に電気的に接続される。
【０００９】
以上の構成において、テープやディスク等の記録媒体の挿抜、或いはツマミや扉等のメカニズムの動作によって、ケース１上方へ突出した操作部３Ｂが下方へ押圧操作されると、図５の断面図に示すように、レバー３が支点部３Ａ上面を支点として下方へ揺動する。
【００１０】
そして、このレバー３の揺動に伴って、可動接点４のアーム部４Ａがさらに撓むと共に、アーム部４Ａ左端の接触部４Ｃが、左方の固定接点２の方向へケース１内底面上を弾接摺動し、操作部３Ｂが下方へ所定量移動すると、接触部４Ｃが固定接点２上に弾接し、可動接点４を介して複数の固定接点２が電気的に接続される。
【００１１】
また、レバー３が最後まで揺動操作され、操作部３Ｂがケース１内底面に当接した状態から、レバー３への押圧力が解除されると、可動接点４の弾性復帰力によって、レバー３が上方に押圧されて揺動すると共に、接触部４Ｃも固定接点２から右方のケース１内底面へ弾接摺動して、図４に示した元の状態に復帰する。
【００１２】
そして、このスイッチの電気的接離によって、テープやディスク等の記録媒体の有無、或いはツマミや扉等のメカニズムの動作等を、機器の電子回路が検出するようになっている。
【００１３】
なお、この時、レバー３を元の状態に戻す可動接点４の弾性復帰力は、図５に示すように、レバー３左端の支点部３Ａ上面に対する、接触部４Ｃの中心位置の傾斜角度θが大きいほど、接触部４Ｃに働く右方向の力、即ち戻り方向の分力が大きくなり、確実にレバー３を復帰させることができる。
【００１４】
つまり、可動接点４のアーム部４Ａを短い寸法とし、接触部４Ｃの中心位置を右方向に移動させれば、傾斜角度θを大きくし、レバー３の戻り力を大きくすることはできるが、ただ、このようにアーム部４Ａを短くした場合には、アーム部４Ａの撓み量も変化して、接触部４Ｃが固定接点２に弾接する力、いわゆる接点圧力が小さなものとなってしまう。
【００１５】
したがって、レバー３の戻り力と固定接点２への接点圧力の両方を維持し、スイッチとしての安定した電気的接離を確保しつつ、スイッチ全体の小型薄型化を図るには、ある程度の限界を生じてしまうものであった。
【００１６】
なお、この出願の発明に関連する先行技術文献情報としては、例えば、特許文献１が知られている。
【特許文献１】特開２００６−３１８８５１号公報
【発明の開示】
【発明が解決しようとする課題】
【００１７】
しかしながら、上記従来のスイッチにおいては、レバー３の戻り力を大きくしようとした場合、可動接点４の固定接点２への接点圧力が小さくなってしまうため、この戻り力と接点圧力の両方を維持しつつ、スイッチ全体の小型薄型化を図ることは困難であるという課題があった。
【００１８】
本発明は、このような従来の課題を解決するものであり、小型薄型化が図れ、確実な電気的接離が可能なスイッチを提供することを目的とする。
【課題を解決するための手段】
【００１９】
上記目的を達成するために本発明は、以下の構成を有するものである。
【００２０】
本発明の請求項１に記載の発明は、ケースの内底面に当接する部分と、レバー下面に弾接する押圧部とを有する略Ｌ字状のばね部材を設けると共に、ケースの内底面に当接する部分はレバーの操作部側に設け、押圧部はレバーの支点部側に設けたスイッチを構成したものであり、レバーの操作部下面にアーム部の一端が固着され、アーム部他端の接触部がケース内底面または固定接点に弾接した可動接点に加え、ばね部材によってもレバーを復帰させることができるため、スイッチの小型薄型化を図った場合にも、レバーの戻り力を大きくすることができ、確実に電気的接離を行うことが可能なスイッチを得ることができるという作用を有する。
【００２１】
請求項２に記載の発明は、請求項１記載の発明において、ケース内底面に上方へ突出する段差部をレバーの支点部側に設け、この段差部に植設された固定接点に可動接点の接触部を弾接させたものであり、アーム部の撓みが増し、接触部が固定接点に弾接する接点圧力を大きくすることができるため、可動接点と固定接点の確実な電気的接続を行うことができるという作用を有する。
【発明の効果】
【００２２】
以上のように本発明によれば、小型薄型化が図れ、確実な電気的接離が可能なスイッチを実現することができるという有利な効果が得られる。
【発明を実施するための最良の形態】
【００２３】
以下、本発明の実施の形態について、図１〜図３を用いて説明する。
【００２４】
なお、背景技術の項で説明した構成と同一構成の部分には同一符号を付して、詳細な説明を簡略化する。
【００２５】
（実施の形態）
図１は本発明の一実施の形態によるスイッチの断面図、図２は同分解斜視図であり、同図において、１１は液晶ポリマーやポリフェニレンサルファイド等の絶縁樹脂製で上面開放の略箱形のケース、２は銅合金等の導電金属薄板製の固定接点で、ケース１１の左内底面には上方へ突出する段差部１１Ａが設けられると共に、この段差部１１Ａとケース１１右内底面に複数の固定接点２がインサート成形等によって植設固定され、固定接点２の端子部は各々外方へ延出している。
【００２６】
そして、３は液晶ポリマーやナイロン等の絶縁樹脂製のレバーで、左端の略円柱状の支点部３Ａを支点として、ケース１１内に揺動可能に収納されると共に、右端にはケース１１上面から上方へ突出する操作部３Ｂが形成されている。
【００２７】
また、１４は銅合金等の弾性金属薄板製の可動接点で、二つのアーム部１４Ａを連結する右端の保持部１４Ｂが、操作部３Ｂ下面にインサート成形されてレバー３に固着されると共に、やや撓んだ状態のアーム部１４Ａ左端に形成された略円弧状の接触部１４Ｃが、ケース１１左内底面の段差部１１Ａ上面に弾接している。
【００２８】
そして、１６は略Ｌ字状で銅合金や鋼等の弾性金属薄板製のばね部材で、右端の折曲部１６Ａ上端がケース１１の切込部１１Ｂに保持され、中間部１６Ｂがケース１１右内底面に当接すると共に、やや撓んだ状態の折起部１６Ｃ左端に形成された略円弧状の押圧部１６Ｄが、レバー３下面に弾接している。
【００２９】
さらに、５は鋼等の金属薄板製のカバーで、このカバー５がケース１１上面の開口部を覆うと共に、カバー５の貫通孔５Ａからレバー３の操作部３Ｂが上方へ突出して、スイッチが構成されている。
【００３０】
そして、このように構成されたスイッチは、上下面に複数の配線パターンが形成された配線基板（図示せず）上に載置され、ケース１１から延出した固定接点２の端子部が、所定の配線パターンに半田付けされて、機器の電子回路（図示せず）に電気的に接続される。
【００３１】
以上の構成において、テープやディスク等の記録媒体の挿抜、或いはツマミや扉等のメカニズムの動作によって、ケース１１上方へ突出した操作部３Ｂが下方へ押圧操作されると、図３の断面図に示すように、レバー３がカバー５下面に当接した支点部３Ａ上面を支点として、ばね部材１６の折起部１６Ｃを撓めながら下方へ揺動する。
【００３２】
そして、このレバー３の揺動に伴って、可動接点１４のアーム部１４Ａがさらに撓むと共に、アーム部１４Ａ左端の接触部１４Ｃが、左方の固定接点２の方向へ段差部１１Ａ上面を弾接摺動し、操作部３Ｂが下方へ所定量移動すると、接触部１４Ｃが固定接点２上に弾接し、可動接点１４を介して複数の固定接点２が電気的に接続される。
【００３３】
なお、この時、ケース１１の左内底面には上方へ突出する段差部１１Ａが設けられ、この段差部１１Ａに固定接点２が植設固定されているため、レバー３の支点部３Ａ上面と可動接点１４の接触部１４Ｃ間の、上下方向の縦寸法Ｈは、ケース１１に形成された段差部１１Ａの高さ分だけ、短い寸法になっている。
【００３４】
つまり、この段差部１１Ａの高さ分だけアーム部１４Ａの撓みが大きくなっているため、接触部１４Ｃが固定接点２に弾接する力、いわゆる接点圧力が大きくなり、可動接点１４と固定接点２の確実な電気的接続を行うことができるように構成されている。
【００３５】
また、レバー３が最後まで揺動操作され、操作部３Ｂがケース１１内底面に当接した状態から、レバー３への操作力が解除されると、可動接点１４及び、下面に押圧部１６Ｄが弾接したばね部材１６の弾性復帰力によって、レバー３が上方に押圧されて揺動すると共に、接触部１４Ｃも固定接点２から右方の段差部１１Ａ上面へ弾接摺動して、図１に示した元の状態に復帰する。
【００３６】
そして、このスイッチの電気的接離によって、テープやディスク等の記録媒体の有無、或いはツマミや扉等のメカニズムの動作等を、機器の電子回路が検出するようになっている。
【００３７】
つまり、アーム部１４Ａ左端の接触部１４Ｃが固定接点２に弾接した可動接点１４に加え、折起部１６Ｃ左端の押圧部１６Ｄがレバー３下面に弾接した略Ｌ字状のばね部材１６の弾性復帰力によって、レバー３を大きな戻り力で、元の状態に復帰させるようになっている。
【００３８】
したがって、スイッチの小型薄型化を図り、可動接点１４やばね部材１６を小さな形状とした場合でも、確実にレバー３を元の状態に復帰させ、スイッチとしての確実な電気的接離を行うことが可能なように構成されている。
【００３９】
なお、このばね部材１６は、右端の折曲部１６Ａ上端をケース１１の切込部１１Ｂに保持し、中間部１６Ｂをケース１１右内底面に当接させると共に、レバー３下面に弾接する押圧部１６Ｄを略円弧状に形成することによって、操作部３Ｂの押圧操作時には少ない摩擦で折起部１６Ｃが撓み、復帰時にはこの折起部１６Ｃの弾性復帰力によって、レバー３を確実に元の状態に復帰させるように形成されている。
【００４０】
このように本実施の形態によれば、略Ｌ字状のばね部材１６を設けると共に、このばね部材１６の左端の押圧部１６Ｄをレバー３下面に弾接させることによって、可動接点１４に加え、ばね部材１６によってもレバー３を復帰させることができるため、スイッチの小型薄型化を図った場合にも、レバー３の戻り力を大きくすることができ、確実に電気的接離を行うことが可能なスイッチを得ることができるものである。
【００４１】
また、ケース１１の左内底面に上方へ突出する段差部１１Ａを設け、この段差部１１Ａに可動接点１４の接触部１４Ｃを弾接させることによって、アーム部１４Ａの撓みが増し、接触部１４Ｃが固定接点２に弾接する接点圧力を大きくすることができるため、可動接点１４と固定接点２の確実な電気的接続を行うことができる。
【００４２】
なお、以上の説明では、レバー３の揺動操作によって、可動接点１４を介して複数の固定接点２を電気的に接続させ、操作力の解除によって電気的に切断する構成について説明したが、これとは逆に、固定接点２をケース１１の内底面中央に植設し、非操作時には可動接点１４の接触部１４Ｃを、固定接点２に弾接させて電気的に接続し、揺動操作時には電気的に切断する構成としても、本発明の実施は可能である。
【産業上の利用可能性】
【００４３】
本発明によるスイッチは、小型薄型化が図れ、確実な電気的接離が可能なものを得ることができ、主に各種電子機器に使用される検出用スイッチとして有用である。
【図面の簡単な説明】
【００４４】
【図１】本発明の一実施の形態によるスイッチの断面図
【図２】同分解斜視図
【図３】同操作時の断面図
【図４】従来のスイッチの断面図
【図５】同操作時の断面図
【符号の説明】
【００４５】
２  固定接点
３  レバー
３Ａ  支点部
３Ｂ  操作部
５  カバー
５Ａ  貫通孔
１１  ケース
１１Ａ  段差部
１１Ｂ  切込部
１４  可動接点
１４Ａ  アーム部
１４Ｂ  保持部
１４Ｃ  接触部
１６  ばね部材
１６Ａ  折曲部
１６Ｂ  中間部
１６Ｃ  折起部
１６Ｄ  押圧部
【図１】
0004962179.tif 000002
【図２】
0004962179.tif 000003
【図３】
0004962179.tif 000004
【図４】
0004962179.tif 000005
【図５】
0004962179.tif 000006